【手続補正書】
【提出日】令和2年9月11日(2020.9.11)
【手続補正１】
【補正対象書類名】明細書
【補正対象項目名】００４２
【補正方法】変更
【補正の内容】
【００４２】
指数（イソシアネート指数）は、実際に使用されたイソシアネート量の、化学量論的（即ち計算された）イソシアネート基（ＮＣＯ）量に対するパーセンテージ比率を示す：
指数：［（使用したイソシアネート量）：（計算されたイソシアネート量）］・１００  （ＶＩ）
以上に説明してきたように、本発明は、以下の発明を包含する。
［１］  ポリウレタン、特にポリウレタンフォームの製造方法における、結果として生じるポリウレタン／ポリウレタンフォームからのアルデヒド放出を軽減するための、2,4-ジメチル-6-オクチルフェノール、2,6-ジ-t-ブチル-4-メチルフェノール、2,6-ジ-t-ブチル-4-エチルフェノール、2,6-ジ-t-ブチル-4-n-ブチルフェノール、2，2'-メチレンビス(4-メチル-6-t-ブチルフェノール)および2，2-メチレンビス(4-エチル-6-t-ブチルフェノール)以外のフェノール系酸化防止剤の使用であって、 
該フェノール系酸化防止剤が、≧０．０７重量部、好ましくは≧０．０８重量部、特に好ましくは≧０．１重量部の量で使用され、かつ該フェノール系酸化防止剤に加え、最大で０．０１重量部（≦０．０１重量部）のアミノ基含有酸化防止剤が存在していてもよく、これら２つの成分の報告された量は、それぞれ、≧１５〜＜２８０ｍｇ  ＫＯＨ／ｇのＤＩＮ５３２４０に従ったＯＨ価を有するイソシアネート反応性水素原子を含有している化合物から選択される、前記製造方法に使用される成分の１００重量部に基づく、使用。
［２］  Ａ１  ≧１５〜＜２８０ｍｇ  ＫＯＨ／ｇのＤＩＮ５３２４０に従ったＯＨ価を有するイソシアネート反応性水素原子を含有している化合物、
Ａ２  任意で、≧２８０〜＜４０００ｍｇ  ＫＯＨ／ｇのＤＩＮ５３２４０に従ったＯＨ価を有するイソシアネート反応性水素原子を含有している化合物、
Ａ３  水および／または物理的発泡剤、
Ａ４  任意で、
ａ）触媒、
ｂ）表面活性添加物質、
ｃ）顔料または難燃剤
などの助剤および添加物質、
Ａ５  ２，４−ジメチル−６−オクチルフェノール、２，６−ジ−ｔ−ブチル−４−メチルフェノール、２，６−ジ−ｔ−ブチル−４−エチルフェノール、２，６−ジ−ｔ−ブチル−４−ｎ−ブチルフェノール、２，２’−メチレンビス（４−メチル−６−ｔ−ブチルフェノール）および２，２’−メチレンビス（４−エチル−６−ｔ−ブチルフェノール）以外の１種以上のフェノール系酸化防止剤、
を含有している成分Ａの、
Ｂ  ジ−またはポリイソシアネート
との反応による、ポリウレタンフォームの製造方法であって、
成分Ａ５が、１００重量部の成分Ａ１に基づき、≧０．０７重量部の量で使用され、かつ
成分Ａが、酸化防止剤Ａ５に加えて、１００重量部の成分Ａ１に基づき、最大で０．０１重量部（≦０．０１重量部）のアミノ基含有酸化防止剤を含有してもよい、方法。
［３］  前記フェノール系酸化防止剤に加えて、アミノ基含有酸化防止剤が存在していない、［２に記載の方法または［１］に記載の使用。
［４］  前記フェノール系酸化防止剤に加えて、他の酸化防止剤が存在していない、［２］に記載の方法または［１］に記載の使用。
［５］  前記成分Ａが、
Ａ１  ７５〜９９．５重量部、好ましくは８９〜９７．７重量部（成分Ａ１〜Ａ４の合計重量部に基づく）の、≧１５〜＜２８０ｍｇ  ＫＯＨ／ｇのＤＩＮ５３２４０に従ったＯＨ価を有するイソシアネート反応性水素原子を含有している化合物、
Ａ２  ０〜１０重量部、好ましくは０．１〜２重量部（成分Ａ１〜Ａ４の合計重量部に基づく）の、≧２８０〜＜４０００ｍｇ  ＫＯＨ／ｇのＤＩＮ５３２４０に従ったＯＨ価を有するイソシアネート反応性水素原子を含有している化合物、
Ａ３  ０．５〜２５重量部、好ましくは２〜５重量部（成分Ａ１〜Ａ４の合計重量部に基づく）の水および／または物理的発泡剤、
Ａ４  ０〜１０重量部、好ましくは０．２〜４重量部（成分Ａ１〜Ａ４の合計重量部に基づく）の、
ａ）触媒、
ｂ）表面活性添加物質、
ｃ）顔料または難燃剤
などの助剤および添加物質、
Ａ５  ≧０．０７重量部（１００重量部の成分Ａ１に基づく）の、２，４−ジメチル−６−オクチルフェノール、２，６−ジ−ｔ−ブチル−４−メチルフェノール、２，６−ジ−ｔ−ブチル−４−エチルフェノール、２，６−ジ−ｔ−ブチル−４−ｎ−ブチルフェノール、２，２’−メチレンビス（４−メチル−６−ｔ−ブチルフェノール）および２，２’−メチレンビス（４−エチル−６−ｔ−ブチルフェノール）以外の１種以上のフェノール系酸化防止剤
を含有し、かつ、
製造が５０〜２５０、好ましくは７０〜１３０、特に好ましくは７５〜１１５の指数で行われ、かつ
成分Ａ１〜Ａ４の報告されたすべての重量部が、本願では組成物中の成分Ａ１＋Ａ２＋Ａ３＋Ａ４の重量部の合計が１００になるように標準化される、［１］〜［４］のいずれかに記載の方法。
［６］  成分Ａ５が、１００重量部の成分Ａ１に基づき、≧０．０８重量部、好ましくは≧０．１重量部の量で使用される、［２］〜［５］のいずれかに記載の方法。
［７］  成分Ａ５として、≧３８０ｇ／ｍｏｌ、特に好ましくは≧４００ｇ／ｍｏｌ、非常に特に好ましくは≧５００ｇ／ｍｏｌの分子量を有する化合物が使用される、［２］〜［６］のいずれかに記載の方法。
［８］  成分Ａ５として、≧２５個の炭素原子、特に好ましくは≧２６個の炭素原子、非常に特に好ましくは≧３０個の炭素原子を有する化合物が使用される、［２］〜［７］のいずれかに記載の方法。
［９］  成分Ａ５として、テトラキス［メチレン（３，５−ジ−ｔ−ブチル−４−ヒドロキシヒドロシンナメート）］メタン）、Ｎ，Ｎ´−１，６−ヘキサメチレン−ビス−３−（３，５−ジ−ｔ−ブチル−４−ヒドロキシフェニル）プロピオンアミド、アルキル−３−（３，５−ジ−ｔ−ブチル−４−ヒドロキシフェニルプロピオネート）（ここでアルキル基は≧１個の炭素原子、好ましくは≧６個の炭素原子、特に好ましくは≧８個の炭素原子、非常に特に好ましくは≧９個の炭素原子を有する炭素質基を含むものである）（例えば、オクタデシル−３−（３，５−ジ−ｔ−ブチル−４−ヒドロキシフェニルプロピオネート））、エチレン（ビスオキシエチレン）ビス（３，５−ｔ−ブチルヒドロキシ−４−トリル）プロピオネート  ４，４’−ブチリデンビス（６−ｔ−ブチル−３−メチルフェノール、および／または、例えばα−トコフェロール、β−トコフェロール、γ−トコフェロール、δ−トコフェロールおよびそれらの混合物などのトコフェロール（ビタミンＥ）が使用される、［２］〜［８］のいずれかに記載の方法。
［１０］  成分Ａが、成分Ａ５に加えて、１００重量部の成分Ａ１に基づき、＞０．０５〜≦４．０重量部、好ましくは＞０．１〜≦１．０重量部、特に好ましくは＞０．０２〜≦０．４重量部のトリスジプロピレングリコールホスファイトを含有している、［２］〜［９］のいずれかに記載の方法。
［１１］  成分Ｂが、２，４−および２，６−トリレンジイソシアネート、４，４’−および２，４’−および２，２’−ジフェニルメタンジイソシアネート、ポリフェニルポリメチレンポリイソシアネート（「ポリ環式ＭＤＩ」）、ならびに２，４−および／または２，６−トリレンジイソシアネートに由来するか、４，４’−および／または２，４’−および／または２，２’−ジフェニルメタンジイソシアネートに由来する、カルボジイミド基、ウレタン基、アロファネート基、イソシアヌレート基、尿素基またはビウレット基を含むポリイソシアネートからなる群から選択されるものである、［２］〜［１０］のいずれかに記載の方法。
［１２］  ［２］〜［１１］のいずれかに記載の方法により得られる、ポリウレタンフォーム。
［１３］  ５０〜２５０、好ましくは７０〜１３０、特に好ましくは７５〜１１５の指数を有する、［１２］に記載のポリウレタンフォーム。
［１４］  成型フォームである、［１２］または［１３］に記載のポリウレタンフォーム。
［１５］  家具のクッション材、繊維詰物、マットレス、自動車座席、ヘッドレスト、肘掛け、スポンジおよび建築構造部品、ならびに座席トリムおよびダッシュボードトリムを製造するための、［１２］〜［１４］のいずれかに記載のポリウレタンフォームの使用。
【手続補正２】
【補正対象書類名】特許請求の範囲
【補正対象項目名】全文
【補正方法】変更
【補正の内容】
【特許請求の範囲】
【請求項１】
ポリウレタン、特にポリウレタンフォームの製造方法における、結果として生じるポリウレタン／ポリウレタンフォームからのアルデヒド放出を軽減するための、2,4-ジメチル-6-オクチルフェノール、2,6-ジ-t-ブチル-4-メチルフェノール、2,6-ジ-t-ブチル-4-エチルフェノール、2,6-ジ-t-ブチル-4-n-ブチルフェノール、2，2'-メチレンビス(4-メチル-6-t-ブチルフェノール)および2，2-メチレンビス(4-エチル-6-t-ブチルフェノール)以外のフェノール系酸化防止剤の使用であって、 
該フェノール系酸化防止剤が、≧０．０７重量部、好ましくは≧０．０８重量部、特に好ましくは≧０．１重量部の量で使用され、かつ該フェノール系酸化防止剤に加え、最大で０．０１重量部（≦０．０１重量部）のアミノ基含有酸化防止剤が存在していてもよく、これら２つの成分の報告された量は、それぞれ、≧１５〜＜２８０ｍｇ  ＫＯＨ／ｇのＤＩＮ５３２４０に従ったＯＨ価を有するイソシアネート反応性水素原子を含有している化合物から選択される、前記製造方法に使用される成分の１００重量部に基づく、使用。
【請求項２】
Ａ１  ≧１５〜＜２８０ｍｇ  ＫＯＨ／ｇのＤＩＮ５３２４０に従ったＯＨ価を有するイソシアネート反応性水素原子を含有している化合物、
Ａ２  任意で、≧２８０〜＜４０００ｍｇ  ＫＯＨ／ｇのＤＩＮ５３２４０に従ったＯＨ価を有するイソシアネート反応性水素原子を含有している化合物、
Ａ３  水および／または物理的発泡剤、
Ａ４  任意で、
ａ）触媒、
ｂ）表面活性添加物質、
ｃ）顔料または難燃剤
などの助剤および添加物質、
Ａ５  ２，４−ジメチル−６−オクチルフェノール、２，６−ジ−ｔ−ブチル−４−メチルフェノール、２，６−ジ−ｔ−ブチル−４−エチルフェノール、２，６−ジ−ｔ−ブチル−４−ｎ−ブチルフェノール、２，２’−メチレンビス（４−メチル−６−ｔ−ブチルフェノール）および２，２’−メチレンビス（４−エチル−６−ｔ−ブチルフェノール）以外の１種以上のフェノール系酸化防止剤、
を含有している成分Ａの、
Ｂ  ジ−またはポリイソシアネート
との反応による、ポリウレタンフォームの製造方法であって、
成分Ａ５が、１００重量部の成分Ａ１に基づき、≧０．０７重量部の量で使用され、かつ
成分Ａが、酸化防止剤Ａ５に加えて、１００重量部の成分Ａ１に基づき、最大で０．０１重量部（≦０．０１重量部）のアミノ基含有酸化防止剤を含有してもよい、方法。
【請求項３】
成分Ａ５として、テトラキス［メチレン（３，５−ジ−ｔ−ブチル−４−ヒドロキシヒドロシンナメート）］メタン）、Ｎ，Ｎ´−１，６−ヘキサメチレン−ビス−３−（３，５−ジ−ｔ−ブチル−４−ヒドロキシフェニル）プロピオンアミド、アルキル−３−（３，５−ジ−ｔ−ブチル−４−ヒドロキシフェニルプロピオネート）（ここでアルキル基は≧１個の炭素原子、好ましくは≧６個の炭素原子、特に好ましくは≧８個の炭素原子、非常に特に好ましくは≧９個の炭素原子を有する炭素質基を含むものである）（例えば、オクタデシル−３−（３，５−ジ−ｔ−ブチル−４−ヒドロキシフェニルプロピオネート））、エチレン（ビスオキシエチレン）ビス（３，５−ｔ−ブチルヒドロキシ−４−トリル）プロピオネート  ４，４’−ブチリデンビス（６−ｔ−ブチル−３−メチルフェノール、および／または、例えばα−トコフェロール、β−トコフェロール、γ−トコフェロール、δ−トコフェロールおよびそれらの混合物などのトコフェロール（ビタミンＥ）が使用される、請求項２に記載の方法。
【請求項４】
請求項２または３に記載の方法により得られる、ポリウレタンフォーム。
【請求項５】
家具のクッション材、繊維詰物、マットレス、自動車座席、ヘッドレスト、肘掛け、スポンジおよび建築構造部品、ならびに座席トリムおよびダッシュボードトリムを製造するための、請求項４に記載のポリウレタンフォームの使用。